(57)【要約】【課題】訪問者のセキュリティエリアに対する入退場状況を簡易に管理することを目的とする。【解決手段】本システムは、管理エリア１に対して入退場する際に使用される入・退場口において、訪問者のエリアに対する入退状況を確認するものである。訪問者は管理エリア１に入場する際、訪問者情報を受付機１２，１５で入力し、入力手段２０から制御部２１に送信された情報は撮像手段２２にて撮像された訪問者の顔情報と関連づけてメモリ２３内の訪問者登録手段２４に記憶される。記憶された各情報に基づき、管理エリアへの訪問対象者として個々にコード情報が設定される。訪問者に対しては、訪問者登録手段に設定し、登録されたコード情報を管理エリア１内で発信可能とするＩＣカード２７が発行される。入・退場口には入・退場アンテナ３２が設置され、制御部２１は訪問者のＩＣカード２７から発信されるコード情報を受信し、訪問者のエリア１への入場あるいはエリア１からの退場をメモリ２３内の入退状況登録手段３５に記憶させて登録する。【選択図】図１
2011090395.tif 000002
【特許請求の範囲】
【請求項１】
少なくとも訪問者が管理エリアに対して入場し、あるいは管理エリアから退場する際、入・退場口で訪問者の管理エリアに対する入退状況を確認するためのセキュリティシステムにおいて、
訪問者が管理エリアに入場する際、訪問者が訪問者自身でその氏名、所属団体名、電話番号等からなる訪問者情報と、訪問目的、管理エリア内の訪問先等からなる訪問内容情報を入力する入力手段と、
上記入力手段により訪問者情報、訪問内容情報を入力した訪問者の顔を撮像する撮像手段と、
上記入力手段にて入力された訪問者情報、訪問内容情報を、撮像手段により撮像された訪問者の顔の画像情報と関連づけて記憶し、記憶された各情報に基づき、管理エリアへの訪問対象者として個々にコード情報を設定し、登録する訪問者登録手段と、
訪問者登録手段にて設定し、登録されたコード情報を記憶させ、対応するコード情報を管理エリア内で発信可能とし、対応する訪問者が管理エリア内で移動する際に携帯させるための非接触型ＩＣカードを対応する訪問者に対し、発行する発行手段と、
少なくとも管理エリアの入・退場口に設置され、ＩＣカードを携帯する訪問者のＩＣカードから発信されるコード情報を受信し、訪問者の管理エリアへの入場あるいは管理エリアからの退場を確認し、登録する入退状況登録手段と、
を備えることを特徴とするセキュリティシステム。
【請求項２】
上記訪問者情報には、訪問者が車両をともない、管理エリアに入場し、あるいは管理エリアから退場する際に使用する車両の車両番号情報が含まれ、さらに訪問者登録手段において訪問者情報、訪問内容情報と、撮像手段により撮像された訪問者の顔の画像情報と関連づけて記憶する情報には、当該訪問者が管理エリアに車両をともない入場する際に使用する車両のナンバープレートを含む車両の撮像情報も併せて含むこととしてなる請求項１に記載のセキュリティシステム。
【請求項３】
入力手段にて訪問者が訪問者自身で入力する訪問者情報には、訪問者がタッチパネルでタッチペンにより手書き入力する訪問者の氏名情報を含んでなる請求項１に記載のセキュリティシステム。
【請求項４】
管理エリアの入・退場口のうち、訪問者あるいは訪問者が車両をともない管理エリアへ入場し、または管理エリアから退場する入・退場口には、開閉操作される入・退場ゲートが備えられ、該入・退ゲートは、ＩＣカードを携帯する訪問者のＩＣカードから発信されるコード情報が、訪問者登録手段にて設定し、登録されているコード情報に存在しない場合、開操作しないように設定してなる請求項１または請求項２のいずれかに記載のセキュリティシステム。
【請求項５】
管理エリアの入・退場口のうち、訪問者あるいは訪問者が車両をともない管理エリアから退場する退場口には、開閉操作される退場ゲートが備えられ、該退場ゲートは、ＩＣカードを携帯する訪問者のＩＣカードから発信されるコード情報が、訪問者登録手段にて設定し、登録されているコード情報に存在し、かつ当該ＩＣカードを返却した場合に限り開操作されるよう設定してなる請求項１または請求項２のいずれかに記載のセキュリティシステム。
【請求項６】
管理エリア内の複数箇所には、各訪問者が携帯するＩＣカードから発信されるコード情報を受信する受信アンテナが備えられ、管理エリア内での各訪問者の移動状況の動態をモニタ管理可能としてなる請求項１に記載のセキュリティシステム。
【発明の詳細な説明】
【技術分野】
【０００１】
本発明は、工場、会社、学校などの管理エリアにおいて、管理エリア内に来場する訪問者の入退場を管理するためのセキュリティシステムに関する。
【背景技術】
【０００２】
工場、会社、学校などの特定の管理エリアにおいては、社員、学生、教員など本来の部内者の他、施設のメンテナンス業者、ゲスト、納品業者などの部外者が多数来場することが余儀なくされている。部内者においては、例えば社員、学生、教員などの顔写真を掲載したＩＣカードを予め発行し、施設に対する入退場ゲートにＩＣカードの読み取り装置を設置し、エリアに対する入退場を自動的に管理することが可能とされる。
【０００３】
また、こうした入退場ゲートのうち、例えば会社の正門や学校の校門などにおいては、通常守衛や警備員が配置されるため、ＩＣカードの読み取り装置によるエリアに対する入退場の自動管理が行われる他、人による目視管理も併用して実施されることとなる。さらに最近では、秘密情報の漏洩が心配される研究所、データセンターなど、事業所内の一部重要セキュリティエリアにおいては、そのエリアに入退場する人の顔情報、指紋・虹彩、手のひらの静脈などのバイオメトリックス情報を、予めエリアの入退場ゲートの管理装置に登録しておき、ゲートにおいてそうして登録されたデータを入退の度に認証し、当該エリアに部内者以外の者が侵入するのを防止していた。
【０００４】
これに対し、施設の部外者に関しては、通常エリアの入退室ゲートの受付において、守衛や警備員が、訪問先、訪問目的、来場者氏名、入場時刻等を記録簿に記入させた上で、訪問者にナンバー付きのバッジを発行するようにしていた。訪問者においては、そうして発行されたバッジを胸の部分に付けてエリア内を移動させ、そうしたバッジを付けていない訪問者においては警備員が注意を払うことが可能となり、また退場時においてはバッジを受付の入退室ゲートに返却させることでエリアにおける入退状況を管理することが可能とされた。
【０００５】
ところで、２００１年９月１１日の米国同時多発テロ以降、事業所などにおいて、訪問者に対するセキュリティ管理をより厳しく徹底すべくセキュリティシステムの改善が進められている。特に不法侵入者が訪問者になりすまして事業所に侵入することを防止すべく、従来のように訪問者を守衛や警備員が、訪問先、訪問目的、来場者氏名、入場時刻等を記録簿に記入させて管理するだけでなく、その顔情報や属性を記録し、訪問者のセキュリティエリアにおける入退状況を確実に管理すべく、下記特許文献１に示すようなセキュリティカメラで監視し、管理するシステムを導入する事業所が増えつつある。
【先行技術文献】
【特許文献】
【０００６】
【特許文献１】特開２００９−１１００６８号公報
【発明の開示】
【発明が解決しようとする課題】
【０００７】
すなわち、上記特許文献１によれば、受付等においてインターホンで被訪問者により入室を許可された訪問者の顔を撮影し、その顔データをセキュリティシステムにおいて記憶させるとともに、当該訪問者に登録されたデータと関連づけたデータとして記録したＩＣカードに発行し、以後、同じ顔を持ち、かつ当該ＩＣカードを保有する訪問者が同じセキュリティエリア（例えば同じ集合住宅）に立ち入ることを可能にしたものである。ただ、このようなシステムでは、訪問者の管理エリアに対する入退場を経時的に確実に把握できるものではなく、いつ、対象訪問者が管理エリアに入場したか、あるいは管理エリアから退場したかを正確に把握できるものではなかった。さらに、最近では、集合住宅や事業所に車で来訪する者もあり、そのような場合に車両の登録、車両と訪問者、同乗者のすべての情報を関連づけてその入・退状況を把握する必要があり、そうした入・退状況を簡易に把握することのできるシステムの開発が必要とされていた。
【０００８】
本発明は、こうした要望に基づいてなされたものであり、訪問者のセキュリティエリアに対する入退場状況を簡易に管理することを目的とするものである。
【課題を解決するための手段】
【０００９】
本発明の請求項１に係るセキュリティシステムは、上記目的を達成するため、少なくとも訪問者が管理エリアに対して入場し、あるいは管理エリアから退場する際、入・退場口で訪問者の管理エリアに対する入退状況を確認するためのセキュリティシステムにおいて、訪問者が管理エリアに入場する際、訪問者が訪問者自身でその氏名、所属団体名、電話番号等からなる訪問者情報と、訪問目的、管理エリア内の訪問先等からなる訪問内容情報を入力する入力手段と、上記入力手段により訪問者情報、訪問内容情報を入力した訪問者の顔を撮像する撮像手段と、上記入力手段にて入力された訪問者情報、訪問内容情報を、撮像手段により撮像された訪問者の顔の画像情報と関連づけて記憶し、記憶された各情報に基づき、管理エリアへの訪問対象者として個々にコード情報を設定し、登録する訪問者登録手段と、訪問者登録手段にて設定し、登録されたコード情報を記憶させ、対応するコード情報を管理エリア内で発信可能とし、対応する訪問者が管理エリア内で移動する際に携帯させるための非接触型ＩＣカードを対応する訪問者に対し、発行する発行手段と、少なくとも管理エリアの入・退場口に設置され、ＩＣカードを携帯する訪問者のＩＣカードから発信されるコード情報を受信し、訪問者の管理エリアへの入場あるいは管理エリアからの退場を確認し、登録する入退状況登録手段と、を備えることとしたものである。
【００１０】
本発明の請求項２に係るセキュリティシステムは、上記目的を達成するため、請求項１において、上記訪問者情報に、訪問者が車両をともない、管理エリアに入場し、あるいは管理エリアから退場する際に使用する車両の車両番号情報が含まれ、さらに訪問者登録手段において訪問者情報、訪問内容情報と、撮像手段により撮像された訪問者の顔の画像情報と関連づけて記憶する情報には、当該訪問者が管理エリアに車両をともない入場する際に使用する車両のナンバープレートを含む車両の撮像情報も併せて含むこととしたものである。
【００１１】
本発明の請求項３に係るセキュリティシステムは、上記目的を達成するため、請求項１において、入力手段にて訪問者が訪問者自身で入力する訪問者情報に、訪問者がタッチパネルでタッチペンにより手書き入力する訪問者の氏名情報を含むこととしたものである。
【００１２】
本発明の請求項４に係るセキュリティシステムは、上記目的を達成するため、請求項１または請求項２のいずれかに記載のセキュリティシステムにおいて、管理エリアの入・退場口のうち、訪問者あるいは訪問者が車両をともない管理エリアへ入場し、または管理エリアから退場する入・退場口に、開閉操作される入・退場ゲートが備えられ、該入・退ゲートは、ＩＣカードを携帯する訪問者のＩＣカードから発信されるコード情報が、訪問者登録手段にて設定し、登録されているコード情報に存在しない場合、開操作しないように設定したものである。
【００１３】
本発明の請求項５に係るセキュリティシステムは、上記目的を達成するため、請求項１または請求項２のいずれかに記載のセキュリティシステムにおいて、管理エリアの入・退場口のうち、訪問者あるいは訪問者が車両をともない管理エリアから退場する退場口に、開閉操作される退場ゲートが備えられ、該退場ゲートは、ＩＣカードを携帯する訪問者のＩＣカードから発信されるコード情報が、訪問者登録手段にて設定し、登録されているコード情報に存在し、かつ当該ＩＣカードを返却した場合に限り開操作されるよう設定したものである。
【００１４】
本発明の請求項６に係るセキュリティシステムは、上記目的を達成するために、請求項１に記載のセキュリティシステムにおいて、管理エリア内の複数箇所に、各訪問者が携帯するＩＣカードから発信されるコード情報を受信する受信アンテナを備え、管理エリア内での各訪問者の移動状況の動態をモニタ管理可能としたものである。
【発明の効果】
【００１５】
本発明によれば、訪問者が管理エリアに入場する際、予め入力手段にて入力された訪問者情報、訪問内容情報が撮像手段により撮像された訪問者の顔の画像情報と関連づけて訪問者登録手段に記憶されることとなる。ここで訪問者においては、訪問者登録手段において設定し、登録されたコード情報を管理エリア内で発信可能とする非接触型ＩＣカードが発行手段において発行され、携帯されることとなり、少なくとも管理エリアの入・退場口に設置される入退状況確認手段において、対応するＩＣカードを携帯する訪問者のＩＣカードから発信されるコード情報を受信し、訪問者の管理エリアへの入場あるいは管理エリアからの退場を確実に確認し、登録することが可能となる。これにより、訪問者のセキュリティエリアに対する入退場状況を簡易にかつ確実に管理することができることとなる。
【図面の簡単な説明】
【００１６】
【図１】本発明の実施形態に係るセキュリティシステム概要を示すシステム構成図である。
【図２】セキュリティシステムにおいて、ＩＣカードを発行するプロセスを示すフローチャートである。
【図３】入退場口における入・退場ゲートの開閉プロセスを示すフローチャートである。
【図４】入退場口のうち、特に退場のためのゲートの開閉プロセスを示すフローチャートである。
【図５】管理エリアの全体構成を示す平面図である。
【図６】車両受付機を設置する建屋を示す斜視図である。
【図７】建屋内で車両受付機を操作する状態を示す斜視図である。
【図８】車両の入場ゲートを示す斜視図である。
【図９】訪問者の入退場口の建屋を示す斜視図である。
【図１０】訪問者の入退場口の建屋内の構成を示す斜視図である。
【図１１】建屋内のうち、訪問者が入・退場ゲートから入場する状態を示す斜視図である。
【図１２】車両の入場ゲートにおける車両の停留状態を示す斜視図である。
【図１３】建屋内のうち、訪問者が入・退場ゲートから退場する状態を示す斜視図である。
【図１４】車両受付機の全体を示す斜視図である。
【図１５】訪問者のための受付機を示す斜視図である。
【図１６】受付機の操作状態のうち、車両訪問者受付の操作画面を示すモニタ図である。
【図１７】受付機の操作状態のうち、用件選択の操作画面を示すモニタ図である。
【図１８】受付機の操作状態のうち、訪問先のアドレス選択の操作画面を示すモニタ図である。
【図１９】受付機の操作状態のうち、訪問者の所属先である来場者情報入力の操作画面を示すモニタ図である。
【図２０】受付機の操作状態のうち、来場者情報入力に係る訪問者の連絡先電話番号を入力する状態の操作画面を示すモニタ図である。
【図２１】受付機の操作状態のうち、来場者情報入力に係る訪問者の氏名を入力する状態の操作画面を示すモニタ図である。
【図２２】受付機の操作状態のうち、車両選択の操作画面を示すモニタ図である。
【図２３】受付機の操作状態のうち、入力情報確認の操作画面を示すモニタ図である。
【発明を実施するための形態】
【００１７】
以下本発明を実施するための形態を図面を参照して説明する。
実施形態に係るセキュリティシステムは、図５に示すように平面長方形状の敷地からなる管理エリア１の安全を管理するものとされ、該エリア１内にはＡ棟２、Ｂ棟３からなる事業所が設置される。すなわち、Ａ棟２やＢ棟３の内部には、研究部、営業部、総務部、社長室、庶務部、工場など区画された各部署が配置される。また管理エリア１内には車両を伴い入場した訪問者のための駐車スペース４が配置される。
【００１８】
管理エリア１に対する訪問者の入退場は、図５に示す守衛所を通過して行われる。また管理エリア１に対する車両の入場は、図５の入場ゲート５から行われる。さらに管理エリア１からの車両の退場は、図５の退場ゲート６から行われる。管理エリア１のうち、入場ゲート５の手前には、内部に車両受付機を備えた建屋７が設置される。すなわち、車両を伴い管理エリア１に入場する訪問者は、図６および図７に示すように運転者、同乗者を含むすべての訪問者が一旦車両から降り、原則、無人の建屋７内に入って車両受付機にて登録を行うようにしている。
【００１９】
一方、車両を伴わない管理エリア１内への訪問者は、図５に示す守衛所の建屋８内を必ず通過するように設定される。すなわち、建屋８は図９に示すように構成され、建屋８内は常時カウンター９内に、守衛が交代で受付を行うようにしている（図１０参照）。この建屋８は、道路側に自動ドアにより構成される第１入・退場ゲート１０が、また管理エリア１側に同じく自動ドアにより構成される第２入・退場ゲート１１が備えられる。
【００２０】
建屋７内に配設される車両受付機１２は、全体を図１４に示すように構成し、操作画面１３を備え、かつインターホン１４を備えるものとされる。この操作画面１３はタッチペンで情報を入力可能とするタッチパネルからなり、運転者、同乗者を含むすべての訪問者が操作しながら各情報を入力するようにしている。また操作においてわからない点があれば、インターホン１４にてオペレータを呼び出し、オペレータの補助に基づき、入力操作を行うようにしている。一方、建屋８内のカウンター９上には、図１５に示す受付機１５が配設される。この受付機１５も操作画面１６を備えてなり、該操作画面１６もタッチペンで情報を入力可能とするタッチパネルからなる。ちなみに、この受付機１５の操作においてわからない点があれば、訪問者はカウンター９内にいる守衛に尋ねることが可能とされる。
【００２１】
すなわち、この管理エリア１を訪問する部外者として訪問者は、車両を伴わない場合、必ず建屋８に入って実施形態に係るセキュリティシステムの受付機１５で登録し、管理エリア１内を移動するためのＩＣカードの発行を受ける必要がある。また車両を伴い、この管理エリア１を訪問する部外者として訪問者においても、入場ゲート５の手前の建屋７内に入り、車両受付機１２において登録し、管理エリア１内を移動するためのＩＣカードの発行を受ける必要がある。そこで先ず、車両を伴い管理エリア１を訪問する訪問者が、車両受付機１２において各情報を入力して登録を行い、ＩＣカードの発行を受けるまでのプロセスを図１６ないし図２１に基づいて説明する。
【００２２】
先ず、建屋７内に入った訪問者としての運転者並びに同乗者は、車両受付機１２の操作画面１３を見ながら訪問者が訪問者自身でその氏名、所属団体名、電話番号等からなる訪問者情報と、訪問目的、管理エリア内の訪問先等からなる訪問内容情報をタッチペンにより入力する。先ず訪問者は、図１６に示す「車両訪問者受付」の画面において、「車両情報登録あり」か「車両情報登録なし」かのいずれかをタッチペンにより選択入力する。すなわち、「車両情報登録あり」は以前に車両を伴い、管理エリア１に係る事業所を訪問したことがある者が入力するものであり、以前に訪問したことがある者は後述する図１のセキュリティシステム内のメモリ２３に記録されているため、以後の入力がスムーズに行われることとなる。これに対し、「車両情報登録なし」の場合、以前に車両を伴い、管理エリア１に係る事業所を訪問したことがない者が入力するものであり、以後の操作において車両番号の入力などの諸入力が必要となる。
【００２３】
図１６に示す「車両訪問者受付」の画面において、「車両情報登録あり」か「車両情報登録なし」かのいずれかの選択入力が行われると、次に操作画面１３は図１７に示す「用件選択」の画面に変更されることとなる。この操作画面１３においては、画面に表示された「作業」、「打ち合わせ」、「会議」など訪問目的に係る訪問内容情報が表示されることとなり、訪問者においてはいずれかの項目をタッチペンでタッチし、訪問目的を選択入力することになる。この選択入力が終了した場合、「次へ」の部分をタッチペンで選択する。すると次に、操作画面１３が図１８に示す「アドレス選択」の画面に変更される。
【００２４】
「アドレス選択」の画面においては、管理エリア１内における訪問先が訪問先の場所とそれに対応するアドレスのコードが表示されることとなり、訪問者においてはいずれかの訪問先を表示した画面上のアドレスをタッチペンでタッチし、訪問先を選択入力することになる。この選択入力が終了した場合、「次へ」の部分をタッチペンで選択する。すると次に、操作画面１３が図１９に示す「来場者情報入力」のうち、「貴社名入力」の画面に変更される。
【００２５】
「貴社名入力」の画面においては、画面１３下方のタッチパネルの部分に例えば会社名「日通」と入力すると、予め図１に示すセキュリティシステム内のメモリ２３に記録されている登録会社名が表示され、訪問者においては表示されたいずれかの会社名をタッチペンでタッチし、会社名を入力することになる。この入力が終了した場合、「次へ」の部分をタッチペンで選択する。すると次に、操作画面１３が図２１に示す「来場者情報入力」のうち、「ご連絡先入力」の画面に変更される。
【００２６】
「ご連絡先入力」の画面においては、画面１３上にテンキーが表示されることとなり、来場者としての訪問者においては、このテンキーをタッチペンでタッチし、例えば所属する会社の電話番号を入力する。電話番号の入力が終了した場合、「次へ」の部分をタッチペンで選択する。すると次に、操作画面１３が図２１に示す「来場者情報入力」のうち、「お名前入力」の画面に変更される。
【００２７】
「お名前入力」の画面においては、画面１３下方のタッチパネルの部分において、訪問者が訪問者自身で訪問者の氏名（例えば「日通太郎」）をタッチペンにより手書き入力する。さらに「撮影」の部分をタッチペンでタッチすると車両受付機１２に備えられる撮像手段としてのＣＣＤカメラが、画面１３を操作する訪問者の顔を撮像することとなる。また訪問者が運転者で、該運転者に同乗者がいる場合においても、該同乗者も自身で訪問者の氏名をタッチペンにより手書き入力し、さらに「撮影」の部分をタッチペンでタッチすることでＣＣＤカメラより訪問者の顔が撮像されることとなる。こうして車両を伴う訪問者により、訪問者情報並びに訪問内容情報の入力が終了し、続いて画面１３下方の「完了」をタッチする。すると操作画面１３が図２２に示す「車両選択」の画面に変更される。
【００２８】
「車両選択」の画面においては、これまで訪問者が入力した訪問者情報並びに訪問内容情報に基づき、セキュリティシステム内のメモリ２３にこれまで管理エリア１に来場したことのある会社に所属する車両の車両番号が表示される。そして、今般の訪問において管理エリア１に入る車両の車両番号がこうした表示の中にあれば、訪問者においてはその番号をタッチペンでタッチし、車両選択を行うことになる。またこうして画面に表示された車両番号の中に今般の訪問において管理エリア１に入る車両の車両番号が存在しない場合は、画面１３下方のタッチパネルの部分において、訪問者が車両番号をタッチペンにより入力し、その登録を行うことになる。こうして車両番号の入力が終了した場合、「次へ」の部分をタッチペンで選択する。すると次に、操作画面１３が図２３に示す「入力情報確認」の画面に変更される。
【００２９】
「入力情報確認」の画面においては、これまでの操作で訪問者が入力した訪問者情報、訪問内容情報さらに車両情報が画面１３上に表示され、訂正等があれば「戻る」をタッチして、その訂正を行うようにしている。画面１３上に表示された各情報に間違えがない場合、訪問者においては「次へ」の部分をタッチペンで選択する。すると車両受付機１２は、訪問者に対して対応する訪問者が管理エリア１内で移動する際に携帯させるための非接触型ＩＣカードを発行することになる。ＩＣカードの発行は、運転者、同乗者を含め、管理エリア１内に入る銘々に発行されることとなる。
【００３０】
次に車両を伴うことなく管理エリア１を訪問する訪問者が、建屋８内に配設される受付機１５において各情報を入力して登録を行い、ＩＣカードの発行を受けるまでのプロセスを同じく図１６ないし図２１に基づいて説明する。先ず図１０に示す建屋８においては、道路側から建屋８へ入る場合、自動ドアにより構成される第１入・退場ゲート１０の部分が人の近接を感知して第１入・退場ゲート１０が自動的に開操作されることになる。建屋８に入った訪問者に対しては、その侵入状態を人感センサ１７が感知し、受付機１５は音声により訪問者に対して受付機１５による受付を行うよう指示が行われる。訪問者は、受付機１５の操作画面１６を見ながら訪問者が訪問者自身でその氏名、所属団体名、電話番号等からなる訪問者情報と、訪問目的、管理エリア内の訪問先等からなる訪問内容情報をタッチペンにより入力する。先ず訪問者は、図１６に示す「車両訪問者受付」の画面において、「車両情報登録あり」か「車両情報登録なし」かのいずれかをタッチペンにより選択入力する。建屋８に入った訪問者の多くは、車両を伴わないで入場する者が多いところであり、ここでは「車両情報登録なし」の入力が行われることとなる。ただ、この受付機１５により、車両を伴う入場の登録を前記車両受付機１２と同様に行い、車両受付機１２と同様に訪問者が管理エリア１内で移動する際、携帯させるための非接触型ＩＣカードの発行を受けることも可能とされる。その場合、「車両情報登録あり」の選択入力が行われる。
【００３１】
図１６に示す「車両訪問者受付」の画面において、「車両情報登録あり」か「車両情報登録なし」かのいずれかの選択入力が行われると、次に操作画面１６は図１７に示す「用件選択」の画面に変更されることとなる。この操作画面１６においては、画面に表示された「作業」、「打ち合わせ」、「会議」など訪問目的に係る訪問内容情報が表示されることとなり、訪問者においてはいずれかの項目をタッチペンでタッチし、訪問目的を選択入力することになる。この選択入力が終了した場合、「次へ」の部分をタッチペンで選択する。すると次に、操作画面１６が図１８に示す「アドレス選択」の画面に変更される。
【００３２】
「アドレス選択」の画面においては、管理エリア１内における訪問先が訪問先の場所とそれに対応するアドレスのコードが表示されることとなり、訪問者においてはいずれかの訪問先を表示した画面上のアドレスをタッチペンでタッチし、訪問先を選択入力することになる。この選択入力が終了した場合、「次へ」の部分をタッチペンで選択する。すると次に、操作画面１６が図１９に示す「来場者情報入力」のうち、「貴社名入力」の画面に変更される。
【００３３】
「貴社名入力」の画面においては、画面１６下方のタッチパネルの部分に例えば会社名「日通」と入力すると、予めセキュリティシステム内のメモリ２３に記録されている登録会社名が表示され、訪問者においては表示されたいずれかの会社名をタッチペンでタッチし、会社名を入力することになる。この入力が終了した場合、「次へ」の部分をタッチペンで選択する。すると次に、操作画面１６が図２１に示す「来場者情報入力」のうち、「ご連絡先入力」の画面に変更される。
【００３４】
「ご連絡先入力」の画面においては、画面１６上にテンキーが表示されることとなり、来場者としての訪問者においては、このテンキーをタッチペンでタッチし、例えば所属する会社の電話番号を入力する。電話番号の入力が終了した場合、「次へ」の部分をタッチペンで選択する。すると次に、操作画面１６が図２１に示す「来場者情報入力」のうち、「お名前入力」の画面に変更される。
【００３５】
「お名前入力」の画面においては、画面１６下方のタッチパネルの部分において、訪問者が訪問者自身で訪問者の氏名（例えば「日通太郎」）をタッチペンにより手書き入力する。さらに「撮影」の部分をタッチペンでタッチすると受付機１５に備えられる撮像手段としてのＣＣＤカメラが、画面１６を操作する訪問者の顔を撮像することとなる。また訪問者が運転者で、該運転者に同乗者がいる場合においても、該同乗者も自身で訪問者の氏名をタッチペンにより手書き入力し、さらに「撮影」の部分をタッチペンでタッチすることでＣＣＤカメラより訪問者の顔が撮像されることとなる。こうして車両を伴う訪問者が訪問者情報並びに訪問内容情報の入力が終わると画面１６下方の「完了」をタッチする。すると操作画面１６が図２２に示す「車両選択」の画面に変更される。
【００３６】
「車両選択」の画面においては、これまで訪問者が入力した訪問者情報並びに訪問内容情報に基づき、セキュリティシステム内のメモリ２３にこれまで管理エリア１に来場したことのある会社に所属する車両の車両番号が表示される。建屋８に入った訪問者の多くは、車両を伴わないで入場する者が多いところであり、この受付機１５により登録を行う者の多くは「車両選択」を行うことなく、「次へ」の部分をタッチペンで選択する。
【００３７】
車両を伴う入場の登録をこの受付機１５で行う場合、前記車両受付機１２と同様に「車両情報登録あり」の選択入力が行われ、今般の訪問において管理エリア１に入る車両の車両番号がこうした表示の中にあれば、訪問者においてはその番号をタッチペンでタッチし車両選択を行うことになる。またこうして画面に表示された車両番号の中に今般の訪問において管理エリア１に入る車両の車両番号が存在しない場合は、画面１６下方のタッチパネルの部分において、訪問者が車両番号をタッチペンにより入力し、その登録を行うことになる。こうして車両番号の入力が終了した場合、「次へ」の部分をタッチペンで選択する。すると次に、操作画面１６が図２３に示す「入力情報確認」の画面に変更される。
【００３８】
「入力情報確認」の画面においては、これまで訪問者が入力した訪問者情報、訪問内容情報さらに車両情報が画面１６上に表示され、訂正等があれば「戻る」をタッチして、その訂正を行うようにしている。画面１６上に表示された各情報に間違えがない場合、訪問者においては「次へ」の部分をタッチペンで選択する。すると受付機１５は、訪問者に対して対応する訪問者が管理エリア１内で移動する際に携帯させるための非接触型ＩＣカードを発行することになる。
【００３９】
次に、車両登録機１３あるいは登録機１５のいずれかにより、訪問者が訪問者自身により訪問者情報、訪問内容情報を入力した場合において、実施形態に係るセキュリティシステムがＩＣカードを発行するプロセスを説明する。
【００４０】
図１に示す本実施形態に係るセキュリティシステムのシステム構成に示すように、前記車両登録機１３あるいは登録機１５のいずれかにより、訪問者が入力した訪問者情報、訪問内容情報は、入力手段２０から制御部２１へと送信される。また前記車両登録機１３あるいは登録機１５のいずれかに備えられたＣＣＤカメラにより、撮像された対応する訪問者の顔の画像情報に関しては、訪問者の撮像手段２２から制御部２１へと送信される。制御部２２においては、入力手段２０にて入力され、送信された訪問者情報、訪問内容情報を、撮像手段２２により撮像された訪問者の顔の画像情報とを関連づけ、メモリ２３内の訪問者登録手段２４に記憶させるようにし、記憶された各情報に基づき、管理エリア１への訪問対象者として、個々にコードジェネレータ２５で生成されたコード情報を設定し、登録するようにしている。ここで訪問者登録手段２４に記憶される訪問者情報には、入力手段２０から受信し、訪問者が訪問者自身により操作画面１３，１６のタッチパネルでタッチペンにより手書き入力したサインの氏名情報（２次元画像情報）も含むものとされる。こうしてメモリ２３内の訪問者登録手段２４において、対応する訪問者の訪問者情報、訪問内容情報、さらに撮像手段により撮像された訪問者の顔の画像情報とがコードジェネレータ２５により生成された個々のコード情報とともに関連づけて記憶し、登録されたら、制御部２１はＩＣカードの発行手段２６に対して対応する訪問者（受付機１２あるいは１５）に対して個々にＩＣカードを発行するよう指示する。
【００４１】
ＩＣカードの発行手段２６により発行されるＩＣカード２７には、前記メモリ２３内の訪問者登録手段２４に記憶し、登録されたものと同じコード情報が記憶され、該対応するコード情報を管理エリア１内において発信可能とするものである。すなわち、このＩＣカード２７の発行を受けた対応する訪問者においては、管理エリア１内を移動する際、該カード２７を携帯するものとし、このＩＣカード２７はＵＨＦの周波数帯域においてごく狭い範囲（半径数メートル）において微弱の電波（コード情報）を発信可能とする非接触型ＩＣカードとされる。こうした制御部２１によるＩＣカード２７の発行までのプロセスについては、図２示すところであり、訪問者においては、車両受付機１２あるいは受付機１５において「訪問者情報」、「訪問内容情報」、「訪問者の顔の撮像情報」が入力されたことに基づき、「入力された各情報を関連づけて設定されたコード情報を設定し、登録される」される。これにより、個々の訪問者に対してそれぞれＩＣカード２７が発行されることになる。
【００４２】
車両受付機１２あるいは受付機１５により、ＩＣカード２７の発行を受けた個々の訪問対象者として訪問者においては、これを携帯する状態で管理エリア１内に入ることになる。先ず、車両を伴い管理エリアに入場する運転者あるいは同乗者に係る訪問者においては、入場ゲート５の手前の部分において車両を感知し、ＣＣＤカメラからなるネットワークカメラにて車両のナンバープレート部分が撮像される（図８参照）。この車両の撮像手段２８にて撮影され、訪問者が車両をともない入場した際に使用した車両のナンバープレートを含む車両の撮像情報については、撮像手段２８から制御部２１に送信される（図１参照）。入場ゲート５の近傍には、当該車両の運転者あるいは同乗者が携帯するＩＣカード２７から発信される電波（コード情報）を受信可能とする入口アンテナ２９（ＵＨＦアンテナ）が備えられ、該アンテナにて受信したコード情報の電波についても図１に示す受信手段３０を介して制御部２１に向けて送信される。
【００４３】
制御部２１においては、受信したコード情報について、メモリ２３の訪問者登録手段２４に記憶し、登録されているコード情報に存在するかどうかを判別し、受信したコード情報が訪問者登録手段２１に存在する場合、ゲートの開閉操作手段３１が入場ゲート５に開操作を行うよう指示する。これにより、車両を伴う訪問者は、開操作された入場ゲート５より、管理エリア１内に入場し、例えば車両を駐車スペース４まで運転し、当該スペース４に駐車してＩＣカード２７を携帯する状態で目的の訪問先まで徒歩で移動することになる。なお、制御部２１対して送信され、受信された車両のナンバープレートを含む車両の撮像情報については、対応するコード情報に係る訪問者登録手段２１に
おいて訪問者情報、訪問内容情報、訪問者の顔の画像情報と関連づけて記憶される情報に上書きされ、記憶されることとなる。
【００４４】
一方、建屋８内に配設される受付機１５において各情報の入力・登録を行い、ＩＣカード２７の発行を受けた訪問者において、ＩＣカード２７を携帯する状態で図１０あるいは図１１に示す第２入・退場ゲート１１の部分から管理エリア１内に入るものとされ。ここで建屋８の管理エリア１側に配設される第２入・退場ゲート１１は自動ドアにより構成される。第２入・退場ゲート１１の部分には、訪問者の近接状態を感知する人感センサ１８が配設され、該センサ１８が人の近接を感知すると、音声により訪問者に対しエリア１内におけるＩＣカード２７の携帯を促すとともに、入・退場アンテナ３２（ＵＨＦアンテナ）が訪問者の携帯するＩＣカード２７から発信される電波（コード情報）を受信し、受信したコード情報の電波については受信手段３０を介して制御部２１に向けて送信されることになる（図１参照）。
【００４５】
制御部２１においては、受信したコード情報について、メモリ２３の訪問者登録手段２４に記憶し、登録されているコード情報に存在するかどうかを判別し、受信したコード情報が訪問者登録手段２１に存在する場合、ゲートの開閉操作手段３１が自動ドアとしての第２入・退場ゲート１１の開操作を行うよう指示する。これにより、訪問者は、開操作された第２入・退場ゲート１１より、管理エリア１内に入場し、ＩＣカード２７を携帯する状態で目的の訪問先まで徒歩で移動することになる。こうした制御部２１による第２入・退場ゲート１１の開操作を行うまでのプロセスについては、図３示すところであり、先ず制御部２１において「入・退場ゲート１１においてＩＣカードから発信されるコード情報を受信」（入場ゲート５も同様）する。次に「受信されたコード情報が訪問者登録手段にて登録されたコード情報に存在するか？」について判別し、判別の結果、受信されたコード情報が訪問者登録手段にて登録されたコード情報に存在しない場合「入・退場ゲート１１を開操作しない」（入場ゲート５も同様）こととなる。これに対し、判別の結果、受信されたコード情報が訪問者登録手段にて登録されたコード情報に存在する場合「入・退場ゲート１１を開操作する」（入場ゲート５も同様）こととなる。
【００４６】
こうして管理エリア１内において、ＩＣカード２７を携帯する状態で移動する訪問者のＩＣカードから発信されるコード情報については、管理エリア１内の複数箇所に設置されるアンテナでそれぞれ受信されることになり、該受信されたコード情報については、当該アンテナの設置位置に関する情報とともに制御部２１に受信される。例えば管理エリア１内のＡ棟には、ａ１ないしａｎの各アンテナが異なる領域に設置される。Ｂ棟においても、ｂ１ないしｂｎの各アンテナが異なる領域に設置される。駐車場においても、ｃ１ないしｃｎの各アンテナが異なる領域に設置される。こうした各アンテナから受信手段３０を介して制御部２１に送信されるコード情報と各アンテナ設置位置に関する情報については、メモリ２３内の訪問者動態モニタ登録手段３３にコード情報別に逐次登録されることとなる。すなわち、こうして管理エリア１内で移動する各訪問者の移動状況の動態が時刻情報とともに記憶され、登録されることとなり、後から訪問者動態モニタ登録手段３３に記憶され、登録されたデータに基づき、各アンテナから受信されたコード情報の時間履歴、場所の移動履歴をモニタ管理し、各訪問者別に訪問者動態を確認することが可能となる。
【００４７】
次に訪問者が管理エリア１内の訪問を終え、管理エリア１外へ出る場合について説明する。先ず、車両を伴い管理エリア１内に入場した訪問者が、退場ゲート６から退場する場合について説明する。例えば駐車スペース４から車両で退場ゲート６まで移動した訪問者（運転者・同乗者）においては、ゲート６の手前（エリア１側）で一旦車両を降り、訪問者（運転者・同乗者）が建屋８内に入ることとなる。建屋８に対して訪問者は第２入・退場ゲート１１の管理エリア１側から入ることとなる。この際先ず第２入・退場ゲート１１の管理エリア１側から建屋内への入場の場合、特にＩＣカード２７から発信されるコード情報の受信等によることなく、エリア１側からの人の近接を感知して自動ドアからなる第２入・退場ゲート１１の開操作が行われることとなる。
【００４８】
第２入・退場ゲート１１の管理エリア１側から建屋８内に侵入した訪問者については、図１０あるいは図１３に示すようにその入室状態を人感センサ１７，１８が感知し、訪問者に対して音声により退場の手順が説明される。ここで入・退場アンテナ３２は、建屋８に入った訪問者が携帯するＩＣカードから発信されるコード情報の電波を受信することになる。受信したコード情報の電波については受信手段３０を介して制御部２１に向けて送信される（図１参照）。
【００４９】
制御部２１においては、受信したコード情報について、メモリ２３の訪問者登録手段２４に記憶し、登録されているコード情報に存在するかどうかを判別し、受信したコード情報が訪問者登録手段２１に存在する場合、ゲートの開閉操作手段３０が建屋８から退場する方向での人感センサ１７，１８の人の感知と相俟って、自動ドアとしての第１入・退場ゲート１０の開操作を行うよう指示する。これにより、訪問者は、開操作された第１入・退場ゲート１０より建屋８外を出て車両へと戻ることになる。この際、制御部２１においては、図１２に示す退場ゲート６についても、メモリ２３の訪問者登録手段２４に記憶し、登録されているコード情報に存在するかどうかを判別し、受信したコード情報が訪問者登録手段２１に存在する場合、ゲートの開閉操作手段３０が退場ゲート６の開操作を行うよう指示することになる。これにより車両へと戻った訪問者（運転者・同乗者）においては、車両を運転して管理エリア１から道路側へと退場することになる。なお、車両が退場ゲート６より退場する際、入場ゲート５と同様にゲート６手前の部分において車両を感知し、ＣＣＤカメラからなるネットワークカメラにて車両のナンバープレート部分を撮像することとしてもよい（図１２参照）。こうして車両の撮像手段２８にて撮影された退場する車両のナンバープレートを含む車両の撮像情報についても、撮像手段２８から制御部２１に送信されることになる（図１参照）。制御部２１対して送信され、受信された退場する車両のナンバープレートの撮像情報についても、対応するコード情報に係る訪問者登録手段２１において訪問者情報、訪問内容情報、訪問者の顔の画像情報と関連づけて記憶される情報に上書きされ、記憶されることになる。一方、制御部２１において、建屋８に入った訪問者が携帯するＩＣカードから発信されるコード情報が、メモリ２３の訪問者登録手段２４に記憶し、登録されているコード情報に存在しない旨の判別を行った場合、自動ドアとしての第１入・退場ゲート１０の開操作を行わないこととし、カウンター９内の守衛が詳細な調査を行うことになる。
【００５０】
ここで実施形態に係るセキュリティシステムにおいて、建屋８内の登録機１５や第１入・退場ゲート１０の近傍、さらに退場ゲート６の部分において、ＩＣカード２７を返却するためのカード返却口３４を備えるようにしてもよい（図１参照）。そして制御部２１は、カード返却口３４から返却されたカード２７から発信されるコード情報が訪問者登録手段２４にて設定し、登録されているコード情報に存在していた場合に限り、ゲートの開閉操作手段３１が自動ドアとしての第１入・退場ゲート１０の開操作、あるいは退場ゲート６の開操作行うよう設定し、それ以外の場合、各ゲート６，１０を開操作しないように設定し、ＩＣカード２７を返却した場合でないと管理エリア１からの退場ができないように設定してもよい。こうすることで、訪問者がＩＣカードを持ち帰らずに、外来者としての訪問者はその都度登録してＩＣカードを発行して、よりシステムの安全性を高めることが可能となる。なお、本実施形態に係るセキュリティシステムにおいて、訪問者以外の部内者の場合、顔写真入りで予めメモリ２３内に記憶され、登録された社員コードデータを発信するＩＣカードを発行するようにしている。
【００５１】
次に訪問者が管理エリア１内の訪問を終え、車両を伴うことなく管理エリア１内に入場した訪問者が、建屋８を通って管理エリア１外に退場する場合を説明する。所定の訪問先の訪問を終えた訪問者においては、先ず建屋８内に入ることとなる。建屋８に対して訪問者は第２入・退場ゲート１１の管理エリア１側から入ることとなる。この際先ず第２入・退場ゲート１１の管理エリア１側から建屋内への入場の場合、特にＩＣカード２７から発信されるコード情報の受信等によることなく、エリア１側からの人の近接を感知して自動ドアからなる第２入・退場ゲート１１の開操作が行われることとなる。
【００５２】
第２入・退場ゲート１１の管理エリア１側から建屋８内に侵入した訪問者については、図１０あるいは図１３に示すようにその入室状態を人感センサ１７，１８が感知し、訪問者に対して音声により退場の手順が説明される。ここで入・退場アンテナ３２は、建屋８に入った訪問者の携帯するＩＣカードから発信されるコード情報の電波を受信することになる。受信したコード情報の電波については受信手段３０を介して制御部２１に向けて送信される（図１参照）。
【００５３】
制御部２１においては、受信したコード情報について、メモリ２３の訪問者登録手段２４に記憶し、登録されているコード情報に存在するかどうかを判別し、受信したコード情報が訪問者登録手段２１に存在する場合、ゲートの開閉操作手段３０が建屋８から退場する方向での人感センサ１７，１８の人の感知と相俟って、自動ドアとしての第１入・退場ゲート１０の開操作を行うよう指示する。これにより、訪問者は、開操作された第１入・退場ゲート１０より建屋８外を出ることになり、管理エリア１外へと退場することになる。ここで、カード返却口３４への返却がなければ、第２入・退場ゲート１１の開操作が行われないように設定してもよい。こうした制御部２１による第１入・退場ゲート１０の建屋８側からの開操作を行うまでのプロセスについては、図４示すところである。先ず制御部２１において「入・退場ゲート１１においてＩＣカードから発信されるコード情報を受信」する。次に「受信されたコード情報が訪問者登録手段にて登録されたコード情報に存在するか？」について判別し、判別の結果、受信されたコード情報が訪問者登録手段にて登録されたコード情報に存在しない場合「入・退場ゲート１０を開操作しない」こととなる。これに対し、判別の結果、受信されたコード情報が訪問者登録手段にて登録されたコード情報に存在する場合「入・退場ゲート１０を開操作する」こととなる。
【００５４】
実施形態に係るセキュリティシステムは、こうして入場ゲート５や第２入・退場ゲート１１から管理エリア１内に入る訪問者の入場状況をＩＣカード２７から発信されるコード情報を対応するアンテナ２９，３０で受信し、受信された入場状況については入場時刻とともにメモリ２３内の入退状況登録手段３５に記憶され、登録されることになる。また退場ゲート６や第１入・退場ゲート１１から管理エリア１外に出る訪問者の退場状況についても、ＩＣカード２７から発信されるコード情報を建屋８内のアンテナ３２あるいは退場ゲート６の近傍に配設されるアンテナ等で受信し、受信された退場状況については退場時刻とともにメモリ２３内の入退状況登録手段３５に記憶し、登録されることになる。すなわち、メモリ２３内の入退状況登録手段３５に記憶され、登録されたデータに基づき、訪問者の管理エリア１への入場あるいは管理エリア１からの退場を確認することが可能となり、例えば１日の終了段階で管理エリア１内に訪問者が残っていないかどうかや、過去の訪問者の入退状況を簡単に調べることが可能となる。また車両を伴い入場した訪問者の諸記録（車両のナンバープレートの撮像画像）や訪問者の手書きによるサインの記録、顔の画像などについても容易に追跡調査でき、また履歴保存することも可能とされる。
【００５５】
なお、上記実施形態においては、建屋８における入・退場ゲート１０、１１を入・退共用のものとしているが入場用、退場用に分けることとしてもよい。また上記実施形態では、車両を伴う入場ゲートを１ケ所、車両を伴う退場ゲートを１ケ所、としさらに訪問者用のゲートについても１カ所としているが、車両用の入・退場ゲート、並びに訪問者用のゲートについて、それぞれ複数箇所設置し、それぞれ受付機１３，１５を設置するようにしてもよい。
【産業上の利用可能性】
【００５６】
本発明は、工場、会社、学校などの特定の管理エリアにおいて、施設のメンテナンス業者、ゲスト、納品業者などの部外者が多数来場する施設の入退場口に設置するのに好適とされ、特定の管理エリアにおける訪問者の入退動向をリアルタイムで管理するシステムに利用可能とされる。
【符号の説明】
【００５７】
１          管理エリア
２          Ａ棟
３          Ｂ棟
４          駐車スペース
５          入場ゲート
６          退場ゲート
７，８      建屋
９          カウンター
１０        第１入・退場ゲート
１１        第２入・退場ゲート無線
１２        車両受付機
１３，１６  操作画面
１４        インターホン
１５        受付機
１７，１８  人感センサ
２０        入力手段
２１        制御部
２２        撮像手段
２３        メモリ
２４        訪問者登録手段
２５        コードジェネレータ
２６        ＩＣカードの発行手段
２７        ＩＣカード
２８        車両の撮像手段
２９        入口アンテナ
３０        受信手段
３１        ゲートの開閉操作手段
３２        入・退場アンテナ
３３        訪問者動態モニタ登録手段
３４        カード返却口
【図１】
2011090395.tif 000003
【図２】
2011090395.tif 000004
【図１６】
2011090395.tif 000005
【図１７】
2011090395.tif 000006
【図１８】
2011090395.tif 000007
【図１９】
2011090395.tif 000008
【図２０】
2011090395.tif 000009
【図２１】
2011090395.tif 000010
【図２２】
2011090395.tif 000011
【図２３】
2011090395.tif 000012
【図３】
2011090395.tif 000013
【図４】
2011090395.tif 000014
【図５】
2011090395.tif 000015
【図６】
2011090395.tif 000016
【図７】
2011090395.tif 000017
【図８】
2011090395.tif 000018
【図９】
2011090395.tif 000019
【図１０】
2011090395.tif 000020
【図１１】
2011090395.tif 000021
【図１２】
2011090395.tif 000022
【図１３】
2011090395.tif 000023
【図１４】
2011090395.tif 000024
【図１５】
2011090395.tif 000025